(57)【要約】【課題】  デジタル放送において、映像、音声、データは放送コンテンツとして一体のものであり、係る放送コンテンツ及び通信機能によって得られる通信コンテンツを、受信機が有する限られた表示手段に効率良く表示する。【解決手段】  デジタル放送受信機能と通信機能を併せ持つデジタル放送受信機であって、動画、字幕又は文字スーパー、ＢＭＬデータそれぞれの表示領域の位置及び色調のパターンを１組として、その表示パターンを２以上記憶する表示パターン記憶手段と、前記表示パターン記憶手段より所望の表示パターンの１つを選択する表示パターン選択手段とを有し、選択された表示パターンに従って、動画、字幕又は文字スーパー、ＢＭＬデータを表示手段に表示する。【選択図】  図４
2006245653.tif 000002
【特許請求の範囲】
【請求項１】
デジタル放送受信機能と通信機能を併せ持つデジタル放送受信機であって、
動画、字幕又は文字スーパー、ＢＭＬデータそれぞれの表示領域の位置及び色調のパターンを１組として、その表示パターンを２以上記憶する表示パターン記憶手段と、
前記表示パターン記憶手段より所望の表示パターンの１つを選択する表示パターン選択手段とを有し、
選択された表示パターンに従って、動画、字幕又は文字スーパー、ＢＭＬデータを表示手段に表示することを特徴とするデジタル放送受信機。
【請求項２】
デジタル放送受信機能と通信機能を併せ持つデジタル放送受信機であって、
デジタル放送に含まれる放送ブックマーク情報を記憶する手段と、放送ブックマーク情報を表示する手段とを有し、
前記放送ブックマーク情報を記憶する手段に記憶されたそれぞれの放送ブックマーク情報に含まれる期限情報とシステム時刻手段が生成する現在の日時情報を比較した結果が、予め期間情報手段によって定められた期間の外に有る場合は、第１の表示態様とし、予め定めた期間の内に有る場合は、前記第１の表示態様とは異なる第２の表示態様で表示する放送ブックマーク表示変更手段とを有することを特徴とするデジタル放送受信機。
【請求項３】
デジタル放送受信機能と通信機能を併せ持つデジタル放送受信機であって、
放送ブックマークリストを表示手段に表示している際においても、デジタル放送ブラウザは前記放送ブックマークリストとは非同期に動作を継続し、
受信するデジタル放送に放送ブックマーク情報が含まれているか否かを検出し、放送ブックマーク情報が含まれている場合は、かかる放送ブックマーク情報を放送ブックマーク情報記憶手段に転写して記憶保存する放送ブックマーク情報取出し手段を有することを特徴とするデジタル放送受信機。
【発明の詳細な説明】
【技術分野】
【０００１】
この発明は、デジタル放送受信機能とデータ通信機能を併せ持つデジタル放送受信機に関する、表示機能の使い勝手向上に関するものである。
【背景技術】
【０００２】
デジタル放送受信機能とデータ通信機能を併せ持つデジタル放送受信機が提案されている。放送局からの放送によって得られた一次情報には、番組に関連する情報を提供するサイトへのリンク情報が付加されており、データ通信機能によって、当該サイトへアクセスすることにより詳細な二次情報を得ることができる。また、放送波の受信能力や表示領域に制限がある可搬型の携帯端末等を想定して、デジタル放送を部分受信階層において伝送するＣプロファイルに関する運用規程が、ＡＲＩＢ  ＴＲ−Ｂ１４において規定されている。尚、映像、音声、データは放送コンテンツとして一体のものであり、デジタル放送受信機は、放送コンテンツを提示する際、原則として映像、音声、データの全てを一体として表示しなければならない場合がある。
【非特許文献１】社団法人電波産業界  標準規格ＡＲＩＢ  ＳＴＤ  ＴＲ−Ｂ１４第４．１版  平成１６年１２月策定  「デジタル放送におけるデジタル放送符号化方式と伝送方式標準規格」
【発明の開示】
【発明が解決しようとする課題】
【０００３】
デジタル放送において、映像、音声、データは放送コンテンツとして一体のものであり、係る放送コンテンツ及び通信機能によって得られる通信コンテンツを、受信機が有する限られた表示手段に効率良く表示する手段が提供されていない。
【０００４】
又、放送データに含まれるブックマーク情報は、番組に関連する情報を提供する通信サイトへのリンク情報であるが、かかるブックマークをデジタル放送受信機に記憶し表示する際のブックマークの確認と記録の使い勝手を改善し、放送と通信の融合を容易としたデジタル放送受信機を提供することにある。
【課題を解決するための手段】
【０００５】
この課題を解決する為に、請求項１記載の発明は、デジタル放送受信機能と通信機能を併せ持つデジタル放送受信機であって、動画、字幕又は文字スーパー、ＢＭＬデータそれぞれの表示領域の位置及び色調のパターンを１組として、その表示パターンを２以上記憶する表示パターン記憶手段と、前記表示パターン記憶手段より所望の表示パターンの１つを選択する表示パターン選択手段とを有し、選択された表示パターンに従って、動画、字幕又は文字スーパー、ＢＭＬデータを表示手段に表示することを特徴とするデジタル放送受信機である。
【０００６】
この課題を解決する為に、請求項２記載の発明は、デジタル放送受信機能と通信機能を併せ持つデジタル放送受信機であって、デジタル放送に含まれる放送ブックマーク情報を記憶する手段と、放送ブックマーク情報を表示する手段とを有し、前記放送ブックマーク情報を記憶する手段に記憶されたそれぞれの放送ブックマーク情報に含まれる期限情報とシステム時刻手段が生成する現在の日時情報を比較した結果が、予め期間情報手段によって定められた期間の外に有る場合は、第１の表示態様とし、予め定めた期間の内に有る場合は、前記第１の表示態様とは異なる第２の表示態様で表示する放送ブックマーク表示変更手段とを有することを特徴とするデジタル放送受信機である。
【０００７】
この課題を解決する為に、請求項３記載の発明は、デジタル放送受信機能と通信機能を併せ持つデジタル放送受信機であって、放送ブックマークリストを表示手段に表示している際においても、デジタル放送ブラウザは前記放送ブックマークリストとは非同期に動作を継続し、受信するデジタル放送に放送ブックマーク情報が含まれているか否かを検出し、放送ブックマーク情報が含まれている場合は、かかる放送ブックマーク情報を放送ブックマーク情報記憶手段に転写して記憶保存する放送ブックマーク情報取出し手段を有することを特徴とするデジタル放送受信機である。
【発明の効果】
【０００８】
請求項１に係る発明は、動画、字幕又は文字スーパー、ＢＭＬデータそれぞれの表示領域の位置及び色調のパターンを１組として、その表示パターンを２以上記憶する表示パターン記憶手段と、前記表示パターン記憶手段より所望の表示パターンの１つを選択する表示パターン選択手段とを有し、選択された表示パターンに従って、動画、字幕又は文字スーパー、ＢＭＬデータを表示手段に表示することを可能としたため、放送コンテンツの提示方法として要求される動画、字幕又は文字スーパー、ＢＭＬデータ等の一体提示を実現しつつ、デジタル放送受信機の使用者の好みに応じて、動画、字幕又は文字スーパー、ＢＭＬデータの提示領域の変更と選択が可能となり、使い勝手向上の効果がある。
【０００９】
又、放送と通信の融合により放送で得た情報に基いて商品の発注等を行う場合がある。商品を取扱う業者としては、番組放送後、特定の期間内に発注を受けた場合の割引サービス等を行うために、デジタル放送で放送する放送ブックマークの有効期限設定は重要なポイントとなっている。請求項２に係る発明は、デジタル放送で受信した放送ブックマークの有効期限がくる前に、デジタル放送受信機所有者の通信リンクサイトへのアクセスを思い出させ、通信リンクサイトへのアクセスを行わせることができ、放送と通信の融合ビジネス展開上、非常に有効な効果がある。
【００１０】
請求項３に係る発明は、放送ブックマークリストを表示手段に表示している際においても、デジタル放送ブラウザは前記放送ブックマークリストとは非同期に動作を継続し、受信するデジタル放送に放送ブックマーク情報が含まれているか否かを検出し、放送ブックマーク情報が含まれている場合は、かかる放送ブックマーク情報を放送ブックマーク情報記憶手段に転写して記憶保存する放送ブックマーク情報取出し手段を有することとしたため、データ放送に含まれる放送ブックマーク情報を取りこぼすことなく受信機上に記憶保存できる効果がある。
【発明を実施するための最良の形態】
【００１１】
地上デジタル放送の受信機能及び携帯電話等のデータ通信機能を併せ持つデジタル放送受信機のハードウエア構成を図１に示す。尚、地上デジタル放送の受信機能としては、ＡＲＩＢ  ＳＴＤ  ＴＲ−Ｂ１４規格におけるＡプロファイルの１３セグメント全てを受信しても良いし、Ｃプロファイルであるその中の一部分のセグメントを受信しても良い。ＵＨＦ帯をカバーするアンテナ５１０から受信機に入力されたデジタル放送信号は、チューナー５０１により所望のチャネルの放送信号が選択され、係る放送信号はデコーダ５０２によりトランスポートストリームに変換される。復調されたトランスポートストリームは、トランスポートストリームデコーダ（ＴＳデコーダ）５０３により、映像、音声、その他データに分離され、映像ストリームは映像デコーダ５０４、音声ストリームは音声デコーダ５０５によって、ストリーム形式の映像、音声の再生処理を行う。映像デコーダ５０４の出力は、提示処理５０６によって、動画、静止画、グラフィックス画像、文字等の提示処理がなされ表示手段１０９によって表示される。データストリームは、データカルーセル中のデータを一旦、デジタル放送メモリ１０４に転送し、ＣＰＵ５０８による処理後、表示手段１０９にて表示される。
【００１２】
又、通信機能を実現する為に、８００ＭＨｚ／１．５ＧＨｚ／２ＧＨｚ帯等の携帯電話通信帯域或いは２．４ＧＨｚ帯等の無線ＬＡＮをカバーするアンテナ５１１とそのアクセス方式であるＴＤＭＡやＣＤＭＡ等のアクセス方式による通信送信手段１１１及び通信受信手段１１２が含まれる。尚、通信機能を実現する為に、通信用の自局ＩＤ記憶領域５０９や放送受信機能を実現する為に電子番組表（ＥＰＧ）５１３等を有する。
【００１３】
図２と図１を用いて、放送コンテンツ或いは通信コンテンツに含まれる各種のデータが如何なる過程で表示手段に表示されるかを説明する。図２においては、表示手段１０９として第１画面４０９及び第２画面４１０、４１１，４１２、４１３の２つの画面を有する場合を例示している。図１におけるアンテナ５１０から受信機に入力されたデジタル放送信号は、チューナー５０１、デコーダ５０２によりトランスポートストリームに変換される。復調されたトランスポートストリームは、トランスポートストリームデコーダ（ＴＳデコーダ）５０３により、映像、音声、その他データに分離され、映像ストリームは映像デコーダ５０４によって、ストリーム形式の動画Ｂ１  ４０６に変換され、提示処理５０６の中のスケーラ及びカラーフォマッタに入力される。同様に、字幕又は文字スーパーデータ４０２は、ＣＰＵ５０８の字幕又は文字スーパーデータデコーダによって、字幕又は文字スーパーデータＢ３  ４０７が生成され、提示処理５０６の中のスケーラ及びカラーフォマッタに入力される。又、データ放送のＢＭＬコンテンツデータも、ＣＰＵ５０８によって制御されるＢＭＬブラウザ４０５を介してＢＭＬデータＢ２として、提示処理５０６の中のスケーラ及びカラーフォマッタに入力される。一方、通信コンテンツデータ４１３は、ＣＰＵ５０８によって制御される通信ブラウザ４１４を介して通信データＣ１として、提示処理５０６の中のスケーラ及びカラーフォマッタに入力される。
【００１４】
本実施例の場合、表示手段１０９として第１画面４０９及び第２画面４１０，４１１，４１２，４１３の２つの画面を有する場合を例示している。この場合はそれぞれの画面用に提示処理５０６の中にスケーラ及びカラーフォマッタを有した方が、制御プログラミングが容易であり好ましいが、単一のスケーラ及びカラーフォマッタにて、複数画面の処理をしても良い。
【００１５】
提示処理５０６におけるスケーラ及びカラーフォーマッタは、前述した様々な種類の入力データを如何なる態様（位置、表示サイズ、色調等）で、物理的な表示手段１０９に表示するかを規定する手段である。例えば、放送コンテンツとして、映像ストリーム４０１と字幕・スーパーデータとＢＭＬコンテンツの一体表示が要求されている場合は、これらの３種のデータを第１画面４０９に示すように分配配置して、放送コンテンツの一体表示を完遂する。
【００１６】
又、本実施例の様に第２画面を有する場合は、第１画面４０９において、映像ストリーム４０１と字幕・スーパーデータとＢＭＬコンテンツの一体表示を行い、放送コンテンツとして要求される一体表示の義務を完遂しつつ、補助画面として第２画面を用い、字幕又は文字スーパー  Ｂ３を第２画面４１０に表示したり、動画Ｂ１を第２画面４１１に表示したり、ＢＭＬデータＢ２を第２画面４１２に表示する。又、第２画面を非放送画面として用いて通信データＣ１や受信機独自データ生成手段４１６が生成した受信機独自データＬ１  ４１７を表示しても良い。
【００１７】
第２画面といえども、放送コンテンツの一部の単独表示が禁止される場合は、字幕又は文字スーパーデコーダ４０４或いはＢＭＬブラウザ４０５より、受信機独自データ生成手段４１６が放送データを受け取って、受信機独自のローカルな情報に加工して第１画面４０９或いは第２画面４１３の非放送画面に提示する。例えば、字幕又は文字スーパーデコーダのデータが「ただ今、地震が発生しました」という文字スーパーであった場合、このスーパーを単独で（同時に受け取っている映像データやＢＭＬデータと一緒ではなく）第１画面あるいは第２画面に提示することが困難である場合、受信機独自データ生成手段４１６は、「ただ今、地震が発生しました」という文字スーパーから、「地震」という文字列を生成し、第１画面あるいは、第２画面の非放送画面に表示する。この表示の仕方としては、非放送画面中にポップアップウインドウを生成して、「地震」という文字列を表示する等、非放送画面の全体或いは一部を使用して行う。
【００１８】
本発明に係るデータ放送受信機の使用者は、例えば通信の待ち受け状態や通信メールの作成中など、放送コンテンツを視聴していない場合であっても、放送コンテンツに含まれる字幕又は文字スーパーデータ或いはＢＭＬデータのデータ放送をモニタリングして、重要な情報の放送を知ることができる。通信の待ち受け状態や通信メールの作成中などは、放送コンテンツを視聴していない状態であるので、映像デコーダ５０４や提示処理５０６や表示手段１０９への電力の供給を停止或いは低減する手段４１８を設けることにより、データ放送受信機の消費電力を低減できる効果がある。
【００１９】
図３を用いて、デジタル放送受信機の使用者が任意にどのような形態で放送コンテンツを提示するか、選択できる手段について開示する。放送コンテンツとして動画、字幕又は文字スーパー、データ放送の一体表示を行うことが要求されるような場合、表示手段１０９にそれらのコンテンツをどのようなスケールで（配置や大きさで）、どのようなカラーフォマットで（色調で）表示するかを予め表示パターン登録手段１７０２を用いて、表示パターン記憶手段１６０１へ登録しておく。
【００２０】
表示パターン選択手段１７０１は、表示パターン記憶手段１６０１に記憶されている表示態様（図３の場合は、例示として表示態様１〜３の３種類の表示態様を記憶）の中から、所望の表示パターンを選択し、提示処理５０６のスケーラ若しくはカラーフォーマッタに指定する。スケーラ及びカラーフォーマッタは、指定されたスケール及びカラーフォーマットにて、表示手段１０９に動画、字幕又は文字スーパー、データ放送のそれぞれのコンテンツを表示する。
【００２１】
表示パターン登録手段１７０２の実施例としては、受信機固有の入力機能等である操作手段１０２によって、受信機の使用者がスケールやカラーを独自に指定して入力する場合がある。但し、予めデジタル放送受信機の製造者において、いくつかの表示パターンを設定し、表示パターン記憶手段１６０１に記憶しておく方法もあり、そのような場合は、この表示パタ−ン登録手段１７０２の構成は任意である。
【００２２】
表示パターン記憶手段１６０１に記憶されている表示パターンの概念を図４により説明する。一体表示態様１  １４０１は、第１画面上段に動画を表示しつつ、第１画面下段を左右方向に２分割し、データ放送及び字幕又は文字スーパーを表示し、もし第２画面が存在する場合は、係る第２画面には任意の画面、例えば受信機固有のブラウザや通信コンテンツ対応のブラウザが表示する態様である。第１画面のみで放送コンテンツの一体表示を完遂するとともに比較的、動画領域が大きいという効果がある。
【００２３】
一体表示態様２  １４０２は、第１画面を縦方向に３分割し、動画、字幕・スーパー、データ放送を割り当てた表示態様である。この場合も、第１画面のみで放送コンテンツの一体表示を完遂して３種類のコンテンツの同時参照が可能である。
【００２４】
一体表示態様３  １４０３は、複数の画面を有するデジタル放送受信機のそれぞれの画面を組合わせて、放送コンテンツの一体表示を完遂する実施例である。第１画面に動画と字幕又は文字スーパーを表示するとともに、係る第１画面とは物理的に隔てられた第２の画面に、残りの放送コンテンツ（この場合は、データ放送コンテンツ）を割り当てる。第１画面に、画像や字幕又は文字スーパー等の一方向型コンテンツを配置し、第２画面にデータ放送等の双方向型コンテンツを配置する構成とした結果、受信機機能であるキー入力操作等は、第２画面だけを対象として操作に集中することが可能となる為、受信機の使い勝手が向上する効果がある。又、デジタル放送において受信機が、動画、字幕又は文字スーパー、データ放送の一体提示を要求されているような場合は、第１画面と第２画面に物理的に隔離されてはいるが、使用者はそれぞれの放送コンテンツが視聴可能であり、受信機全体として一体提示を完遂しているという効果がある。
【００２５】
図５は、デジタル放送受信機の使用者が任意にどのような形態で放送コンテンツの提示を受けるか選択できる他の実施例を示した図である。本実施例は、動画、字幕又は文字スーパー、データ放送のいずれか１つ又は２つのコンテンツを表示手段に表示するとともに、他の残りのコンテンツについては、表示を行うか否かを指定する指定手段を配することにより、表示の制御を行う実施例である。１５０１は、第１又は第２画面の表示態様を例示している。画面には主として動画が配され、例えば画面下部の一部に、字幕又は文字スーパーの表示を行うか否かを指定する指定手段の表示（字幕キー或いは字幕アイコン１５０４）や、データ放送の表示を行うか否かを指定する指定手段の表示（データキー或いはデータアイコン１５０５）が配される。これらの指定手段の表示は、ソフトウエアキーとして選択時に特定の機能を実行するものであっても、対応した位置に存在する受信機のハードウエアキーそのものを単に指標して表示するものであっても良い。
【００２６】
提示処理５０６によって、図５における１５０１の態様の表示が行われている状態で、表示パターン選択手段１７０１が、字幕キーの押下を検出した場合、提示処理５０６は、動画表示の一部に字幕又は文字スーパーを重畳する。或いは、動画表示の一部を字幕又は文字スーパーに置き返る（図５の１５０２）。又、この状態で、表示パターン選択手段１７０１が、再度字幕キーの押下を検出した場合、提示処理５０６は、動画表示の一部への字幕又は文字スーパーの重畳をやめる。或いは、動画表示の一部を字幕又は文字スーパーに置き返ることをやめ、動画のみの表示に戻す。同様に、提示処理５０６によって、図５における１５０１の態様の表示が行われている状態で、表示パターン選択手段１７０１が、データキーの押下を検出した場合、提示処理５０６は、動画表示の一部をデータ放送に置き返る（図５の１５０３）。又、この状態で、表示パターン選択手段１７０１が、再度データキーの押下を検出した場合、提示処理５０６は、動画表示の一部へのデータ放送表示をやめる。
【００２７】
本実施例においては、限られた表示手段１０９において、動画、字幕又は文字スーパー、データの放送コンテンツのいずれか１つか２つを主として提示しつつ、容易に他の残りのコンテンツの参照が可能になるという効果がある。
【００２８】
前記実施例で開示した指定手段の表示１５０４、１５０５に、字幕又は文字データの検出機能や、放送ブックマークの検出機能を組合わせた場合、さらに有効である。例えば、通常の状態においては動画表示を主とし、字幕アイコンやデータアイコンのみを表示しておく。この状態では、動画に対して広い視野が割り振られていることになる。この状態で、字幕又は文字データやデータ放送中の放送ブックマーク等を検出した場合、前記の字幕アイコンやデータアイコン等、指定手段の表示を、それまでと異なる表示、例えば点滅させる等で注意喚起を行い、字幕又は文字スーパーやデータ放送の参照を可能とした表示態様への切替をデジタル放送受信機の使用者に促すことができる効果がある。いかにして、字幕又は文字データやデータ放送中の放送ブックマーク等を検出するかについては、後述の実施例にて開示する。
【００２９】
図６を使用して、放送番組とデジタル放送受信機の表示態様の関係について実施例を開示する。デジタル放送番組が、それぞれ最適なコンテンツの表示パターンの情報を放送してくる場合である。例えば、データ放送において双方向型のコンテンツを用い、放送視聴者との対話型の放送番組である場合、データ放送画面はある程度大きく設定した方が、操作ガイダンスの読み取りなどが容易で使い勝手が良い。表示パターン選択手段１７０１は放送番組の種別や番組識別子（番組ＩＤ）１６０２に対応した好適な表示態様を表示パタ−ン記憶手段１６０１より選択し、提示処理５０６へ通知する。提示処理５０６は、受信機機能であるため、放送局側で個々の受信機機能を指定することは困難である。しかし、対話型コンテンツより構成される番組である等の放送番組の種別や番組識別子(番組ＩＤ)１６０２に基いて、デジタル放送受信機側で、番組に対応した好適な表示態様を、表示パタ−ン記憶手段１６０１の中より選択することにより、デジタル放送視聴者にとって好適な表示態様を提供できるという効果がある。
【００３０】
デジタル放送の受信は、受信機の受信メモリに逐次記録される。係る受信メモリの記録容量には制限があるため、放送内容は時系列的に先に受けているデータから順に消滅する。一方、放送のコンテンツの中には、データ放送と通信機能を組み合わせた双方向型のデータ放送があり、この場合は通信の問合せ放送ブックマーク等のデータが含まれている場合がある。例えば、インターネット上のＵＲＬ等が放送ブックマークとして含まれ、放送を視聴して、係る放送内容に興味を抱いた視聴者は、放送データの中に含まれていたＵＲＬに該当するホームページに通信機能によってアクセスすることにより、より詳細な情報の入手が可能である。
係る機能を実現するために、放送をモニタリングし、ＵＲＬ等の放送ブックマーク情報が含まれている場合は、かかる情報を切りだし、別の記憶手段に記憶保存することによって、後の参照が可能になる。係る記憶手段に記録することによって、ＵＲＬ等の放送ブックマーク情報が時系列的に消失することなく、後の参照が可能である。また、記憶手段に転送する際に、番組の見出しやコメント等を付して記憶することにより後の参照が可能である。
【００３１】
図７及び図８を用いて、放送ブックマークを表示手段１０９に表示する際、その有効期限や種別ごとに異なる表示態様で表示することによるデジタル放送受信機の使い勝手向上に関して説明する。図７は、放送ブックマーク情報記憶手段の構成例を、図８は、期限日の近い放送ブックマークを色分け表示する為のブロック図実施例を示している。
【００３２】
放送受信手段１０３を介して受信されたデジタル放送は、デジタル放送メモリ１０４に蓄積され、表示手段１０９にて表示される。係るデジタル放送に通信リンクアドレス情報等の放送ブックマークが含まれていることを発見した使用者は、キーボード等の操作手段１０２を使用して、放送ブックマーク情報取出し手段１０７の動作を促し、前記放送ブックマークを放送ブックマーク記憶手段１０８に記憶する。
【００３３】
図７は、放送ブックマーク情報記憶手段の構成例を示しているが、係る記憶手段は放送ブックマーク毎に、タイトル１９０１、通信リンク先アドレス１９０２、概要１９０３、放送ブックマーク種別１９０４、有効期限１９０５、予備１９０６等の情報から構成される。図は、５０個の放送ブックマーク情報をリスト形式で蓄積・記憶する際の、リスト構造の模式例を開示している。タイトル１９０１は、表示手段１０９によって係る放送ブックマーク情報記憶手段の内容を可視化して表示する際、その表示のタイトル欄に表示する文字列等である。通信リンク先アドレス１９０２は、リンク先の通信コンテンツのＵＲＩを格納する。概要１９０３は、リンク先の通信コンテンツの説明を格納する。放送ブックマーク種別１９０４は、リンク先の通信コンテンツの種類を表す。デジタル放送受信機は、この情報を利用して、リンク先ＵＲＩで指定された通信コンテンツを表示可能なブラウザを選択することができる。有効期限１９０５は、そのブックマーク情報が有効である最終日時を格納する。
【００３４】
放送ブックマーク表示変更手段２００１は、放送ブックマーク情報記憶手段１０８から放送ブックマーク情報を読み出して表示手段１０９に表示する際、当該放送ブックマーク情報の有効期限１９０５と、システム時刻２００２から得られる現在の日時情報との比較を行う。比較を行った結果、当該放送ブックマーク情報の有効期限が、予め定めておいた期間情報２００４から得られる日時以内に迫っている場合は、当該放送ブックマーク情報を表示手段１０９に表示する際、他の未だ有効期限が迫っていない放送ブックマークの表示とは異なる態様で表示する。これにより、デジタル放送受信機の使用者は、有効期限の迫った放送ブックマークの存在を、単に日時の羅列ではなく表示ブックマークの色や形状等の表示態様を変更することにより視認容易な形で把握できるという効果がある。
【００３５】
実施例として、本発明に係るデジタル放送受信機の放送ブックマーク情報記憶手段１０８に記憶されているある放送ブックマーク情報の有効期限１９０５が、２００５年１月３１日であり、期間情報２００４に記憶されている期間が１週間である場合、システム時刻２００２から得られる現在の日時情報が、放送ブックマーク情報の有効期限である２００５年１月３１日の１週間より前であれば、放送ブックマーク表示変更手段２００１は、当該放送ブックマークの表示態様を変更しない（例えば青色表示）。一方、システム時刻２００２から得られる現在の日時情報が、放送ブックマーク情報の有効期限である２００５年１月３１日の１週間以内になれば、放送ブックマーク表示変更手段２００１は、当該放送ブックマークの表示態様を、前記の１週間より前の表示態様とは異なる態様（例えば、赤色表示）にする。
【００３６】
放送ブックマーク情報の有効期限１９０５は、その通信コンテンツ固有の期限として指定されるが、デジタル放送受信機の使用者としては、放送ブックマークの時系列的な記憶順、つまり最近記憶した放送ブックマークを先頭に、順に古いものへ遡って参照するような場合が多い。この場合、放送ブックマーク情報の有効期限が入り乱れて表示され参照されることになるが、有効期限の迫った放送ブックマークを、他の未だ有効期限が迫っていない放送ブックマークの表示とは異なる態様で表示することにより、使用者に容易に通信リンクサイトへの接続を再度想起させることができる。
【００３７】
放送と通信の融合により放送で得た情報に基いて商品の発注等を行う場合がある。商品を取扱う業者としては、番組放送後、特定の期間内に発注を受けた場合の割引サービス等を行うために、放送ブックマークの有効期限設定は重要なポイントとなっている。本発明は、有効期限がくる前に、デジタル放送受信機所有者の通信リンクサイトへのアクセスを思い出させ、通信リンクサイトへのアクセスを行わせることができ、放送と通信の融合ビジネス展開上、非常に有効で、単に有効期限経過後の放送ブックマーク情報の表示態様を変化させる場合や通信リンクサイトへのアクセスを禁止する場合に比して、ビジネス上、全く効果が異なる。
【００３８】
本発明のポイントは、期限の迫った放送ブックマークの存在を、予め、期限がくる前にデジタル放送受信機の使用者に知らせることにある。従って、図８の実施例においては、放送ブックマーク表示変更手段２００１により、表示態様を変更することにより、その期限の迫った放送ブックマークの存在を使用者に知らしめていたが、係る放送ブックマーク表示変更手段２００１の構成に代えて、図示しない鳴音発生手段を用いて、所謂、リマインダアラート音によってその期限の迫った放送ブックマークの存在を使用者に知らしめてもよい。
【００３９】
任意のタイミングで、放送ブックマーク表示変更手段２００１が、放送ブックマーク情報記憶手段１０８から放送ブックマーク情報を読み出し、当該放送ブックマーク情報の有効期限１９０５と、システム時刻２００２から得られる現在の日時情報との比較を行う。比較を行った結果、当該放送ブックマーク情報の有効期限が、予め定めておいた期間情報２００４から得られる日時以内に迫っている場合は、図示しない鳴音発生手段を起動し、所謂、リマインダアラート音を発生させる。ここで、リマインダアラート音とは、デジタル放送受信機が、通信着呼等で用いている他の鳴音と異なる呼出音であり、使用者に放送ブックマークの参照を思い起こさせるものであれば良い。
【００４０】
図９、図１０、図１１および図１２を用いて、自動的に特定のデジタル放送から放送ブックマークを取り出し、デジタル放送受信機内に記憶する構成について説明する。
図９において１０１は、受信するデジタル放送の中から特定の放送を受信したことを検知する際に使用されるデジタル放送検索キーワードメモリである。このデジタル放送検索キーワードメモリ１０１には、受信機の利用者が、予め操作手段１０２を介して、特定の文字列等を登録しておく。例えば、「災害」「ニユース」等の文字列をキーワードとして登録しておく。この登録は、通信受信手段１１２を介して受信した通信情報に含まれる文字列などを利用してもよい。
【００４１】
デジタル放送は、放送受信手段１０３を介して受信され、デジタル放送メモリ１０４に一時蓄積され、表示手段１０９により使用者に対して表示される。デジタル放送メモリ１０４には、映像ストリームデータ、字幕又は文字スーパーデータ、ＢＭＬコンテンツデータ等が展開される。映像ストリームデータや字幕又は文字スーパーデータ及び、受信機の使用者との対話を伴わないＢＭＬコンテンツの場合、デジタル放送メモリ１０４の内容は、放送の進行に伴い時系列的に書きかえられていく。
【００４２】
尚、携帯機器の場合、デジタル放送を始終注視していることは稀で有る為、かかる表示手段１０９は、液晶パネルの背景照明を切ったり、表示そのものを行わない、省電力手段を有する。
【００４３】
デジタル放送検索手段１０５は、デジタル放送検索キーワードメモリ１０１に登録されたキーワードが、デジタル放送メモリ１０４に出現したか否かを監視する手段である。
デジタル放送中の特定キーワードのチェックは、例えば字幕又は文字スーパーデータを対象に行う。字幕又は文字スーパーデータは、デジタル放送のコンテンツの一部として受信される。字幕又は文字スーパーデータは、同じくデジタル放送のコンテンツの一部である映像ストリームとリンクした字幕データで有る場合のほかに、地震等の発生を速報するために映像ストリームとはリンクしない情報として不特定のタイミングに受信する文字スーパーである場合がある。
【００４４】
デジタル放送検索手段１０５は、デジタル放送メモリ１０４における字幕又は文字スーパーデータを監視し、デジタル放送検索キーワードメモリ１０１に登録されたキーワード、例えば「地震」が、デジタル放送メモリ１０４に出現したか否かを監視する。デジタル放送中の特定キーワードのチェックを、字幕又は文字スーパーデータを対象に行った場合、字幕又は文字スーパーデータは、テキスト形式の文字データ等であるため、キーワード検出等の情報処理負荷が小さいという利点がある。
【００４５】
又、異なる実施例として、このデジタル放送検索キーワードメモリ１０１の代わりに、受信する放送の中から特定の放送を選別して警告等の注意喚起ができるよう、特定の注意喚起放送の種別を記憶した放送選別手段であってもよい。図１０は、係る放送選別手段を用いた実施例である。図９におけるデジタル放送検索キーワードメモリ１０１が、放送選別対象記憶手段１１０１に、デジタル放送検索手段１０５が放送選別手段１１０５に置きかえられるが、他の構成要件は、図９で示した実施例と同一である。放送選別対象記憶手段１１０１は、いかなる放送を選別して、受信機所有者に注意喚起するか、選別対象となる放送を登録する手段である。
【００４６】
係る放送対象選別手段の構成を図１１により説明する。例えば、受信機所有者が字幕又は文字スーパーデータの内容に拘らず、如何なる場合であっても字幕又は文字スーパーのデータを受信したときは注意喚起を欲する場合は、コードとして０１を放送選別対象記憶手段１１０１に記憶する。何らかの有効な文字列を含む字幕又は文字スーパーデータを受信した場合には、コードとして０２を放送選別対象記憶手段１１０１に記憶する。字幕又は文字スーパーデータ、ＢＭＬデータ、制御データ等の種別に拘らず、特定の放送種別コードを含むデジタル放送を受信した場合に注意喚起を欲する場合は、その特定の放送種別コードを放送選別対象記憶手段１１０１に記憶する。この放送種別コードとは、デジタル放送内容のカテゴリを特定するもので、カテゴリには、放送内容に基く分類や、スポンサによる分類、視聴年齢制限による分類、課金／非課金に基く分類等がある。放送種別コードを放送内容に基く分類として、例えば、ニュース・・・０６Ａ、災害情報・・・０６Ｂ、地震速報・・・０６Ｃ）の中から、１つ以上の放送種別コードを選んで記憶しておく。例えば、デジタル放送受信機が地震速報の放送を受信した場合、受信機よりその使用者に対して注意喚起を受けたい場合は、放送種別コードの０６Ｃを放送選別手段に記憶しておく。又、放送事業者に基くコード０７や番組コード０８等を記憶しておいても良い。
【００４７】
放送受信手段１０３には、図１におけるアンテナ５１０、チューナ５０１、デコーダ５０２、ＴＳデコーダ５０３等が含まれる。アンテナ５１０から受信機に入力されたデジタル放送信号は、チューナー５０１により所望のチャネルの放送信号が選択され、係る放送信号はデコーダ５０２によりトランスポートストリームに変換される。復調されたトランスポートストリームは、トランスポートストリームデコーダ（ＴＳデコーダ）５０３により、映像、音声、その他データに分離されるが、デジタル放送メモリ１０４に一時的にバッファリングされる。
【００４８】
デジタル放送検索手段１０５若しくは放送選別手段１１０５は、前述のデジタル放送検索キーワードメモリ１０１若しくは放送選別対象記憶手段１１０１に記憶されている選別対象のキーワードやコード等の情報に基き、デジタル放送メモリ１０４の内容を検査し、使用者が注意喚起を所望しているデジタル放送が受信されたか否かを監視する手段である。この検査方法は、メモリに記憶されている情報が特定の情報を含むか否かの公知手段を利用できる。
【００４９】
デジタル放送検索手段１０５或いは放送選別手段１１０５は、組合わせて使用してもよい。例えば、放送選別手段１１０５によって、何らかの有効な文字列を含む字幕又は文字スーパーデータを受信を検出した後、デジタル放送検査手段１０５によって、係る字幕又は文字スーパーデータ中に特定のキーワードを含むか否かを判断しても良い。この場合は、単に字幕又は文字スーパーデータの受信で注意喚起を受けるよりも、よりデータを絞り込んで、所望のキーワードを含むデータに対してのみ注意喚起を受けられる効果がある。
【００５０】
デジタル放送中の特定キーワードの存在或いは特定放送種別の放送受信を検出すると、デジタル放送検索手段１０５或いは放送選別手段１１０５は注意喚起手段１０６を起動し、使用者に対して予め指定した特定のデジタル放送を、受信中である旨、注意喚起する。これによって、使用者は、デジタル放送を始終注視することなく、所望の放送のみを参照することが可能となる。
【００５１】
この注意喚起手段としては、受信機機能である呼出音の鳴音、ＬＥＤの点灯、バイブレータの振動等があるが、使用者がキーワードや特定放送種別に応じて注意喚起の程度が識別できるように異なる方法で注意喚起しても良い。例えば、デジタル放送検索キーワードメモリ１０１の検索キーワード「地震」や特定放送種別の地震に対応する情報には、鳴音最大の注意喚起種別情報を割当てて、該当する検索キーワードや特定放送種別に対応して記憶しておき、注意喚起手段１０６は、この注意喚起種別情報に基いて、最大の鳴音で、使用者に注意喚起を行う。一方、検索キーワード「ニュース」や特定放送種別のニュースに対応する情報には、バイブレータ振動の情報を割り当てることにより、使用者は、キーワードや特定放送種別に応じて注意喚起を受けることができる。
【００５２】
尚、図９及び図１０で示す実施例においては、受信したデジタル放送信号を、デコード後、デジタル放送メモリ１０４に一時展開後、所望の放送を受信しているか否かの判断を行っている。このように、デジタル放送メモリ１０４に一時展開後、所望の放送を受信しているか否かの判断を行うことにより、放送内容の中身のデータに基いて木目細かな検索、選択ができるという効果がある。
【００５３】
一方、異なる実施例として、より前段のＴＳデコーダ５０３によるトランスポートストリームの映像、音声、その他データに分離段階で判断を行っても良い。例えば、放送選別対象記憶手段１１０１において、字幕又は文字スーパーデータを受信した際は、その内容に拘らず注意喚起を行う旨の指定が記憶されていた場合には、ＴＳデーコーダ５０３が、ハード的に字幕又は文字スーパー信号を検出した段階で、注意喚起手段１０６にその検出情報を上げても良い。この場合は、デジタル放送メモリ１０４において所望の情報の存在を検査する必要がないため、ＣＰＵ５０８の負荷低減効果がある。
【００５４】
図１２は、本発明に係るデジタル放送受信機の表示態様と遷移の実施例を表した図である。第1画面表示態様３０１は、非放送又は通信画面Ｃ１を表している。この画面は受信機固有の通信ブラウザ等により作成され、通信の所謂、待ち受け画面やメール作成等を行う画面である。この状態において、デジタル放送の受信を行っていても良い。デジタル放送を非表示とした場合は、デジタル放送の表示に要する電力が削減される効果がある。
【００５５】
第１画面表示態様３０２は、使用者が指定した所望のデジタル放送を受信中であることを示す画面の実施例である。特定のデジタル放送を受信中であることを示す旨のメッセージ（この場合、「地震情報を受信しています。」というメッセージ）を生成し、表示する。又、受信機が第２の表示画面を有する場合、第２画面表示態様３０５のように、この第２画面にこのメッセージを表示しても良い。受信機が折畳み構造であって、折り畳んだ状態にて使用されている場合、第１画面は外から見ることができない場合があるが、外から見ることができる第２画面に所望のデジタル放送を受信中であることを示す情報を表示することによって、容易に使用者が受信機を折り畳み状態から開状態にして、デジタル放送を確認できる効果がある。
【００５６】
第１画面表示態様３０３は、放送にて送られてきているストリーム映像データＢ１（実施例、地震放送）とデジタル放送Ｂ２の混在表示を第１画面に表示した例である。デジタル放送Ｂ２には、実施例として津波警報の関連情報を有する通信サイトへのブックマークが提示されている。係るブックマークで示された津波警報の関連情報を有する通信サイトへアクセスすることにより、第１画面表示態様３０４にて、通信画面Ｃ２を開いた状態を示している。
第１画面表示態様３０４においては、放送データに基く簡易動画画面Ｂ１とデジタル放送画面Ｂ２及び通信データに基く通信画面Ｃ１が、同一の物理表示手段（第１画面）上に混在表示された実施例である。放送データと通信データを両方同時に参照することができ、データ間の関連が容易にできるという効果がある。
以上、図９、図１０、図１１または図１２により説明した特定のデジタル放送の受信検知後、放送ブックマーク情報取出し手段１０７は、係るデジタル放送より放送ブックマークを取り出す。尚、本実施例では特定のデジタル放送の受信検知後、放送ブックマークを取り出しているが、その場合は、番組で絞込み後、ブックマークを取り出しているため、使用者が所望の放送ブックマークを、受信機側で自動的に誤りなく取り出すことができるという効果がある。無論、図９、図１０、図１１または図１２により説明したデジタル放送の受信の絞込みを行わず放送ブックマークを取り出してもよい。
【００５７】
放送ブックマーク情報取出し手段１０７は、デジタル放送の内容に含まれるネットワークのドメイン情報等の放送ブックマーク情報を取り出し、放送ブックマーク情報記憶手段１０８に記憶する。例えば、デジタル放送中に、ｈｔｔｐ：／／ｗｗｗ．ｊｉｓｈｉｎｊｙｏｈｏ．ｃｏｍ／等の文字列が存在した場合、放送ブックマーク情報取出し手段１０７は、係る文字列を放送ブックマーク情報記憶手段１０８に転写する。従って、デジタル放送メモリ１０４の内容が、放送の進行に伴い時系列的に書換えられても、放送ブックマーク情報は放送ブックマーク情報記憶手段１０８にて記憶され、後の参照が可能となる。ここで、放送ブックマーク情報取出し手段１０７は、デジタル放送メモリ１０４から放送ブックマーク情報を取出す際、係る放送ブックマーク情報に付帯した情報、たとえば、タイトル、概要、当該ブックマーク情報の有効期限などの付帯情報を放送ブックマーク情報に併せて転写し、放送ブックマーク情報記憶手段１０８に記憶しておいても良い。通信接続手段１１０は、放送ブックマーク情報記憶手段１０８に記憶された放送ブックマーク情報を表示手段１０９に表示し、使用者が操作手段１０２を介して選択した放送ブックマークに対して通信により通信接続処理を行う。接続された放送ブックマークから送信されるデータは、通信受信手段１１２によって受信され、表示手段１０９に表示される。
【００５８】
図１３は、デジタル放送受信の際のフローチャートである。  デジタル放送は、ＢＭＬ(Broadcast Markup Language)コンテンツデータとして放送受信され、ＢＭＬブラウザでデジタル放送メモリ１０４上に展開される。尚、ＢＭＬとは、ＡＲＩＢ（社団法人電波産業界）によって策定されたＸＭＬベースのデジタル放送向けページ記述言語である。デジタル放送検索手段１０５は、デジタル放送検索キーワードメモリ１０１に記憶されている文字列（例えば文字列「地震」）が、現在ＢＭＬブラウザが表示しているデータの中に存在するか否かを、検索する。この検索において、必要があればデジタル放送検索手段１０５は、ＢＭＬコンテンツ或いはＢＭＬブラウザに対して、自動的にキーイベントを発行し、ＢＭＬコンテンツ或いはＢＭＬブラウザと対話を行いながら目的とする文字列の存在有無を検索する。例えば、デジタル放送のＢＭＬコンテンツが、使用者による「決定」「戻る」「＊」「＃」「０」〜「９」等のキーイベントを要求している場合、デジタル放送検索手段１０５はそれらのキーイベントを使用者に代わって発行してもよい。又、ＢＭＬブラウザに対して、上下左右の方向キーのイベントを発行しスクロールやフォーカス移動の指示を出してもよい（図２のステップ２０２）。デジタル放送検索手段１０５が指定文字列なしと判断した場合は、次のＢＭＬコンテンツ受信に入る。デジタル放送検索手段１０５が指定文字列ありと判断した場合は、放送ブックマーク情報取出し手段１０７は、当該ＢＭＬコンテンツ中にブックマーク情報があるか否かを検索し、ブックマーク情報が存在する場合は、放送ブックマーク情報記憶手段１０８に記憶する（ステップ２０３）。次に、所望のデジタル放送を受信中である旨を、鳴音或いはバイブレータ等の振動により受信機の使用者に知らしめる（ステップ２０４）。ここで、ステップ２０３とステップ２０４の実行順序は問わない。また、ステップ２０３の実行を行わず、注意喚起のステップ２０４のみを実行する、或いは、ステップ２０４の実行を行わず、ブックマーク記憶のステップ２０３のみを実行してもよい。
【図面の簡単な説明】
【００５９】
【図１】本発明の実施の形態に係るデジタル放送受信機のハードウエア構成図である。
【図２】本発明に係るデジタル放送受信機における放送コンテンツデータ或いは通信コンテンツデータの表示過程の説明図である。
【図３】本発明に係るデジタル放送受信機における放送コンテンツデータ或いは通信コンテンツデータの表示過程の説明図である。
【図４】本発明に係る表示パターン記憶手段に記憶されている表示パターンの説明図である。
【図５】本発明に係る表示の説明図である。
【図６】放送番組と本発明に係るデジタル放送受信機の表示態様の関係を説明する図である。
【図７】放送ブックマーク情報記憶手段の構成例を説明する図である。
【図８】本発明に係るデジタル放送受信機の機能ブロック図の一例である。
【図９】本発明に係るデジタル放送受信機の機能ブロック図の一例である。
【図１０】本発明に係るデジタル放送受信機の機能ブロック図の一例である。
【図１１】本発明に係る放送選別対象記憶手段の構成図の一例である。
【図１２】本発明に係るデジタル放送受信機の表示態様と遷移の実施例を表した図である。
【図１３】本発明に係るデジタル放送受信機におけるデジタル放送受信のフローチャートの一例である。
【符号の説明】
【００６０】
１４０１：一体表示態様１、１４０２：一体表示態様２、１４０３：一体表示態様３、１７０２：表示パターン登録手段、１６０１：表示パターン記憶手段、１７０１：表示パターン選択手段、５０６：提示処理、１０９：表示手段、１０７：放送ブックマーク情報取出し手段、１０８：放送ブックマーク情報記憶手段、２００１：放送ブックマーク表示変更手段、２００２：システム時刻、２００４：期間情報
【図１】
2006245653.tif 000003
【図２】
2006245653.tif 000004
【図３】
2006245653.tif 000005
【図４】
2006245653.tif 000006
【図５】
2006245653.tif 000007
【図６】
2006245653.tif 000008
【図７】
2006245653.tif 000009
【図８】
2006245653.tif 000010
【図９】
2006245653.tif 000011
【図１０】
2006245653.tif 000012
【図１１】
2006245653.tif 000013
【図１２】
2006245653.tif 000014
【図１３】
2006245653.tif 000015